(57)【特許請求の範囲】
【請求項１】
ワークに形成されたテープ貼着面に沿って帯状の粘着テープを台紙から剥離して接合するためのテープ貼付治具であって、
治具本体と、
この治具本体に設けられてワークに形成されたテープ貼着面と対向し、かつ前記粘着テープが通されるテープ案内部と、
前記治具本体に設けられてこの治具本体を前記ワークに対し前記テープ貼着面に沿って摺動自在かつ着脱可能に係合させる一対の係止手段と、
前記テープ貼着面との対向方向に弾性変形可能に前記粘着テープの長手方向に沿った前記テープ案内部の少なくとも中央部に突出状態で形成され、かつ前記台紙から剥離した前記粘着テープを前記テープ貼着面に押圧し得るテープ押圧手段と
を具え、前記一対の係止手段の一方は、他方に対してこれらの対向方向に相対的に移動可能に前記治具本体に取り付けられ、この一方の係止手段と前記治具本体との間には、当該一方の係止手段を他方の係止手段側に付勢する付勢手段が介装されていることを特徴とするテープ貼付治具。
【請求項２】
前記他方の係止手段は、前記台紙の長手方向に沿って平行に並ぶ一組の爪部を有し、これら爪部は、前記一方の係止手段との対向方向の位置を調整するための位置調整手段を介して前記治具本体に固定されていることを特徴とする請求項１に記載したテープ貼付治具。
【請求項３】
前記テープ案内部および前記テープ押圧手段の表面は、低摩擦係数の部材で覆われていることを特徴とする請求項１または請求項２に記載したテープ貼付治具。
【請求項４】
前記テープ案内部と反対側には、治具本体を把持するための把持部が設けられていることを特徴とする請求項１〜３の何れかに記載したテープ貼付治具。
【請求項５】
前記把持部は、前記テープ案内部と隙間を隔てて前記テープ貼着面の長手方向と直角な方向に平行に延びる部分を有するものであることを特徴とする請求項４に記載したテープ貼付治具。
【請求項６】
前記把持部と前記テープ案内部との隙間には、剥離前の前記粘着テープと前記台紙とが通されることを特徴とする請求項５に記載したテープ貼付治具。
【発明の詳細な説明】
【０００１】
【発明の属する技術分野】
本発明は、ワークに形成されたテープ貼着面に沿って帯状の粘着テープを台紙から剥離して接合するためのテープ貼付治具に関する。
【０００２】
【従来の技術】
自動車のドアサッシュ部の室内側を艶消しの黒色にすることは、車外、特に車体の側方から見たから時のドアサッシュ部の室内側の光の反射を抑え、車室内だけではなく、車体全体のすっきりとした景観を確保する上で望ましいことである。
【０００３】
このようなことから、ドアサッシュ部に艶消しの黒色塗料を吹き付け塗装することが従来から行われている。しかし、吹き付け塗装は、作業環境を良好に保つための附帯設備に費用が嵩む上、塗料の乾燥までに時間が掛かるなどの種々の不具合があるため、その代わりとして耐候性や耐摩耗性などの良好な艶消しの黒色粘着テープをドアサッシュ部に貼着することが特開昭５１−１３５０１５号公報や、特開昭６２−４６７８０号公報などで提案されている。この場合、自動車のドアサッシュ部は、周知のように三次元的な曲面部分が大部分を占めているため、上述した貼着装置は極めて大がかりとなって、実際の生産ラインに組み込んだ場合、生産ラインの設備コストが嵩む上、ドアサッシュ部の設計変更に対する追従性が悪く、汎用性に乏しいものであった。
【０００４】
しかし、この貼着作業を作業者が何らかの治具類を使用せずに手作業のみで行おうとした場合、自動車の製造ラインに対応した速度でこれを正確に行うことは、極めて高い作業熟練度が要求されることとなる。
【０００５】
そこで、上述した作業を熟練作業者ならずとも容易かつ迅速に行えるように、例えば特開平５−３３８６２７号公報などに開示されたテープ貼付治具が提案されており、このテープ貼付治具を用いることによって、熟練作業者ならずとも容易かつ迅速にドアサッシュ部の所定位置に粘着テープを正確に貼着することができるようになっている。
【０００６】
【発明が解決しようとする課題】
特開平５−３３８６２７号公報に開示された従来のテープ貼付治具は、自動車の右ドアおよび左ドアに対応してそれぞれ右勝手および左勝手が存在するため、例えばセダン型の乗用自動車に対しては前後左右、つまり四種類のテープ貼付治具を使い分ける必要があり、はなはだ面倒である。
【０００７】
また、車種によってドアサッシュ部の幅などの形状が変わった場合、これに対応したテープ貼付治具をその都度用意しなければならず、甚だ融通性に乏しいものであった。
【０００８】
【発明の目的】
本発明の目的は、熟練作業者ならずとも容易かつ迅速に左右のドアサッシュ部の所定位置に粘着テープをそれぞれ正確に貼着することが可能な融通性に富むテープ貼付治具を提供することにある。
【０００９】
【課題を解決するための手段】
本発明によるテープ貼付治具は、ワークに形成されたテープ貼着面に沿って帯状の粘着テープを台紙から剥離して接合するためのテープ貼付治具であって、治具本体と、この治具本体に設けられてワークに形成されたテープ貼着面と対向し、かつ前記粘着テープが通されるテープ案内部と、前記治具本体に設けられてこの治具本体を前記ワークに対し前記テープ貼着面に沿って摺動自在かつ着脱可能に係合させる一対の係止手段と、前記テープ貼着面との対向方向に弾性変形可能に前記粘着テープの長手方向に沿った前記テープ案内部の少なくとも中央部に突出状態で形成され、かつ前記台紙から剥離した前記粘着テープを前記テープ貼着面に押圧し得るテープ押圧手段とを具え、前記一対の係止手段の一方は、他方に対してこれらの対向方向に相対的に移動可能に前記治具本体に取り付けられ、この一方の係止手段と前記治具本体との間には、当該一方の係止手段を他方の係止手段側に付勢する付勢手段が介装されていることを特徴とするものである。
【００１０】
ここで、前記他方の係止手段は、前記台紙の長手方向に沿って平行に並ぶ一組の爪部を有し、これら爪部は、前記一方の係止手段との対向方向の位置を調整するための位置調整手段を介して前記治具本体に固定されていることが有効である。
【００１１】
また、前記テープ案内部および前記テープ押圧手段の表面は、低摩擦係数の部材で覆われていることが好ましい。
【００１２】
さらに、前記テープ案内部と反対側に、治具本体を把持するための把持部を設けるようにしても良く、この場合、前記把持部が、前記テープ案内部と隙間を隔てて前記テープ貼着面の長手方向と直角な方向に平行に延びる部分を有するものであっても良く、前記把持部と前記テープ案内部との隙間に、剥離前の前記粘着テープと前記台紙とを通すことが有効である。
【００１３】
従って、粘着テープの先端部を台紙から引き剥がし、この粘着テープの先端部をワークのテープ貼着面の所定位置に貼り付けた後、治具本体のテープ案内部と粘着テープの先端部が貼り付けられたテープ貼着面の部分とが重なり合うように、一対の係止手段を操作してワークに治具本体を係止させる。これにより、テープ押圧手段が押しつぶされるように弾性変形し、粘着テープがテープ貼着面に押圧された状態となる。
【００１４】
この状態から、粘着テープを台紙から引き剥がしつつ治具本体をテープ貼着面に沿って移動すると、テープ案内部によってテープ貼着面に対するずれが拘束された粘着テープは、テープ押圧手段の弾性変形を伴ってテープ貼着面に押し付けられ、テープ貼着面に貼り合わされて行く。
【００１５】
この場合、一対の係止手段の一方が、他方に対してこれらの対向方向に相対的に移動可能に治具本体に取り付けられ、この一方の係止手段と治具本体との間に、当該一方の係止手段を他方の係止手段側に付勢する付勢手段が介装されており、ワークの幅の変動や変化に追従して一方の係止手段が他方の係止手段との対向方向に変位し、ワークに対して治具本体が常にがた付きなく係止する。
ワークの幅が極端に異なる場合には、他方の係止手段である一組の爪部と一方の係止手段との間隔を位置調整手段を操作して適切に変える。
【００１６】
また、テープ案内部およびテープ押圧手段の表面を、低摩擦係数の部材で覆った場合には、ワークのテープ貼着面に沿って治具本体を移動させた時の摩擦抵抗が少なくなる。
【００１７】
さらに、テープ案内部と反対側に、治具本体を把持するための把持部を設け、この把持部にテープ案内部と隙間を隔ててテープ貼着面の長手方向と直角な方向に平行に延びる部分を形成した場合、把持部とテープ案内部との隙間に、剥離前の粘着テープと台紙とを通し、粘着テープを台紙から剥がしてテープ案内部側に折り返すことにより、治具本体の移動方向前方には、台紙だけ位置することとなる。
【００１８】
なお、治具本体のテープ案内部に対して粘着テープを通す方向を逆にした場合には、ワークのテープ貼着面に対して治具本体を逆に移動させる。
【００１９】
【発明の実施の形態】
本発明によるテープ貼付治具を乗用自動車のフロントドアサッシュ部に応用した一実施例について、その外観を表す図１およびその分解状態を表す図２およびその平面形状を表す図３およびそのＩＶ−ＩＶ矢視断面形状ならびにＶ−Ｖ矢視断面形状をそれぞれ表す図４，  図５およびワークであるフロントドアサッシュ部に連結した状態における本実施例の正面形状を表す図６およびその左側面形状を表す図７を参照しながら詳細に説明する。
【００２０】
すなわち、高密度ポリエチレンシートなどの低摩擦係数の部材１１で被覆された平板状のテープ案内部１２は、粘着テープ１３の幅（図３中、上下方向の長さ）に対応した幅を有し、この粘着テープ１３の長手方向（図３中、左右方向）に沿ったテープ案内部１２の中央部には、発泡ポリウレタンシートなどで形成された弾性変形可能なテープ押圧シート１４が本発明のテープ押圧手段として突出状態で貼り合わされ、上述した低摩擦係数の部材１１にて被覆された状態となっている。
【００２１】
このテープ案内部１２の幅方向一端側には、粘着テープ１３の一方の側端面に当接するエンドブロック１５が一体的に形成されている。このエンドブロック１５上には、テープ案内部１２の幅方向に沿って相互に平行に延びる前後一対の溝１６が形成され、これら一対の溝１６にはフロントドアサッシュ部１７のアウタ側に係合し得る爪部材１８が固定用ボルト１９を介してそれぞれねじ止めされ、これらの先端部がテープ案内部１２の一端側の真上に突出した状態となっている。
【００２２】
本実施例では、爪部材１８に固定用ボルト１９が貫通する長穴２０を形成すると共に溝１６の溝底に雌ねじ孔２１を穿設することにより、フロントドアサッシュ部１７の幅寸法の相違に応じてその幅方向に沿った爪部材１８の突出位置を変更することができるようにしており、これら固定用ボルト１９，  長穴２０，  雌ねじ孔２１などで本発明の位置調整手段が構成されている。
【００２３】
テープ案内部１２の幅方向他端側には、エンドブロック１５と対向して粘着テープ１３の他方の側端面に当接するホルダブロック２２が一体的に形成されている。このホルダブロック２２上には、前後一対の案内壁部２３が相互に平行に立設され、これら案内壁部２３の間に矩形の摺動ブロック２４が前記爪部材１８との対向方向に摺動自在に収納されている。さらに、このホルダブロック２２のテープ案内部１２の反対側の端部には、摺動ブロック２４と対向する案内棒ホルダ２５が立設されている。
【００２４】
なお、本実施例における治具本体２６は、上述したエンドブロック１５，  ホルダブロック２２，  案内壁部２３，  案内棒ホルダ２５などで構成されている。
【００２５】
前記案内壁部２３の上端には、これら案内壁部２３から摺動ブロック２４が上方に抜け外れるのを防止する押さえ板２７がそれぞれ止めねじ２８を介して固定されている。また、摺動ブロック２４の案内棒ホルダ２５側には、ホルダブロック２２の中央部に形成した段部２９に係止して摺動ブロック２４がエンドブロック１５側に抜け外れるのを防止するストッパ部３０が下向きに突設されている。さらに、前記案内棒ホルダ２５には、テープ案内部１２の幅方向に沿って相互に平行に摺動ブロック２４に形成された前後一対の案内孔３１に対して先端側が摺動自在に嵌合する前後一対の案内棒３２の基端部がねじ止めされており、これら案内棒３２には、摺動ブロック２４と案内棒ホルダ２５との間に位置して摺動ブロック２４をエンドブロック１５側に付勢する圧縮コイルばね３３が装着されている。
【００２６】
従って、摺動ブロック２４は、圧縮コイルばね３３のばね力によってエンドブロック１５側に付勢され、圧縮コイルばね３３のばね力に抗して摺動ブロック２４が案内棒ホルダ２５側に変位し得るようになっている。
【００２７】
エンドブロック１５側の摺動ブロック２４の端面には、フロントドアサッシュ部１７のインナ側に係合して上述した一対の爪部材１８とでフロントドアサッシュ部１７に係止し得る突起部３４が突設され、これら爪部材１８および突起部３４によって治具本体２６がフロントドアサッシュ部１７に係止し得るようになっている。さらに、この摺動ブロック２４の上端には、前記圧縮コイルばね３３のばね力に抗して当該摺動ブロック２４を案内棒ホルダ２５側に退避移動させるための指掛け部３５が突設されている。
【００２８】
ホルダブロック２２の中央部には、案内壁部２３と反対側に突出してテープ案内部１２の幅方向に沿って延びるＬ字形の把持部材３６の基端部がスペーサ３７を介して固定用ボルト３８によりねじ止めされ、テープ案内部１２との間に隙間３９を形成している。この把持部材３６の前後両端面には、滑り止めゴム４０が貼着されている。
【００２９】
従って、実際の作業に際しては、粘着テープ１３の先端部を台紙４１から引き剥がし、この粘着テープ１３の先端部をフロントドアサッシュ部１７の平坦なテープ貼着面４２の所定位置（一般的には、貼着開始位置）に貼り付けた後、指掛け部３５を利用して摺動ブロック２４を爪部材１８から引き離し、この状態を保持したまま治具本体２６のテープ案内部１２と粘着テープ１３の先端部が貼り付けられたテープ貼着面４２の部分とが重なり合うように、フロントドアサッシュ部１７に治具本体２６を押し付け、指掛け部３５から指を放して圧縮コイルばね３３のばね力により、爪部材１８と突起部３４とをフロントドアサッシュ部１７に係止させる。これにより、テープ押圧シート１４が押しつぶされるように弾性変形し、粘着テープ１３がテープ貼着面４２に押圧された状態となる。
【００３０】
この状態から、粘着テープ１３を台紙４１から引き剥がしつつ治具本体２６をテープ貼着面４２に沿って図６中、左方向に移動すると、テープ案内部１２によってテープ貼着面４２に対するずれが拘束された粘着テープ１３は、テープ押圧シート１４の弾性変形を伴ってテープ貼着面４２に押し付けられ、テープ貼着面４２に貼り合わされて行く。
【００３１】
ここで、摺動ブロック２４が、圧縮コイルばね３３のばね力によって一対の爪部材１８側に常に付勢されているため、フロントドアサッシュ部１７の幅の変動や変化に追従して摺動ブロック２４が爪部材１８との対向方向に変位し、フロントドアサッシュ部１７に対して爪部材１８を基準として治具本体２６をがた付きなく係止させることができる。また、テープ案内部１２およびテープ押圧シート１４の表面が低摩擦係数の部材１１で覆われているため、フロントドアサッシュ部１７のテープ貼着面４２に沿って治具本体２６を移動させた時の摩擦抵抗が少なくなり、この操作を楽に行うことができる。
【００３２】
このようにして、フロントドアサッシュ部１７のテープ貼着面４２に粘着テープ１３を貼着した後、図示しないスクイズローラを用いて粘着テープ１３の幅方向両端部をフロントドアサッシュ部１７の残りの部分に貼り付ける。この状態では、フロントドアサッシュ部１７に対して既に粘着テープ１３が位置決めされているので、何ら問題なく作業を行うことができる。
【００３３】
なお、粘着テープ１３および台紙４１を図５に示すように進行方向前方側に位置させることも可能であるが、図６に示すようにこれらを把持部材３６とテープ案内部１２との隙間３９に通し、粘着テープ１３をテープ案内部１２側に折り返すことにより、治具本体２６の移動方向前方に台紙４１だけ位置させ、作業性をより向上させることも有効である。
【００３４】
また、上述したフロントドアサッシュ部１７は、自動車の車体に対して左右対称となっているのが普通であるから、これらの左右勝手に応じてテープ案内部１２に対する粘着テープ１３の通す方向を図５および図６に示す状態の逆にし、さらにフロントドアサッシュ部１７のテープ貼着面４２に対して治具本体２６を逆に移動させるだけで、そのまま対応可能である。
【００３５】
さらに、車種の相違などによってフロントドアサッシュ部１７の幅や形状が極端に異なる場合には、固定用ボルト１９を緩めて爪部材１８の位置を適当にずらしたり、これら爪部材１８や摺動ブロック２４を別形状のものに交換することにより、調整および対応可能である。
【００３６】
【発明の効果】
本発明のテープ貼付治具によると、治具本体のテープ案内部に対して粘着テープを通す方向に方向性がない、すなわち、粘着テープの長手方向に沿って何れの方向からも粘着テープをテープ案内部に通すことができるため、例えば左右勝手のあるワークの何れにもそのまま使用することができる。
【００３７】
また、一対の係止手段の一方を、他方に対してこれらの対向方向に相対的に移動可能に治具本体に取り付け、この一方の係止手段と治具本体との間に、当該一方の係止手段を他方の係止手段側に付勢する付勢手段を介装しているため、ワークの幅の変動や変化に追従して一方の係止手段が他方の係止手段との対向方向に変位し、ワークに対して治具本体を常にがた付きなく係止させることができるので、熟練作業者ならずとも粘着テープを正確にワークのテープ貼着面に貼り付けることができる。しかも、他方の係止手段である一組の爪部と一方の係止手段との間隔を位置調整手段を操作して変えることができるため、ワークの幅が極端に異なる場合でも、単一のテープ貼付治具の調整だけで対応することが可能であり、ワークの形状変化に対する適応性が従来のものよりも優れたものにすることができる。
【００３８】
さらに、テープ受け部およびテープ押圧手段の表面を、低摩擦係数の部材で覆った場合には、ワークのテープ貼着面に沿って治具本体を移動させた時の摩擦抵抗が少なくなり、小さな操作力で楽に作業を進めることができる。
【００３９】
一方、テープ受け部と反対側に、治具本体を把持するための把持部を設け、この把持部にテープ受け部と隙間を隔ててテープ貼着面の長手方向と直角な方向に平行に延びる部分を形成した場合、把持部とテープ受け部との隙間に、剥離前の粘着テープと台紙とを通し、粘着テープを台紙から剥がしてテープ受け部側に折り返すことができるため、治具本体の移動方向前方には、台紙だけ位置させて作業性を向上させることが可能となる。
【図面の簡単な説明】
【図１】本発明によるテープ貼付治具を乗用自動車のフロントドアインナーサッシュ部に応用した一実施例の外観を表す斜視図である。
【図２】図１に示した実施例の分解斜視図である。
【図３】図１に示した実施例の平面図である。
【図４】図３中のＩＶ−ＩＶ矢視断面図である。
【図５】図３中のＶ−Ｖ矢視断面図である。
【図６】図１に示した実施例のテープ貼着治具をフロントドアサッシュ部に連結した状態の正面図である。
【図７】図１に示した実施例のテープ貼付治具をフロントドアサッシュ部に連結した状態の左側面図である。
【符号の説明】
１１  低摩擦係数の部材
１２  テープ案内部
１３  粘着テープ
１４  テープ押圧シート
１５  エンドブロック
１６  溝
１７  フロントドアサッシュ部
１８  爪部材
１９  固定用ボルト
２０  長穴
２１  雌ねじ孔
２２  ホルダブロック
２３  案内壁部
２４  摺動ブロック
２５  案内棒ホルダ
２６  治具本体
２７  押さえ板
２８  止めねじ
２９  段部
３０  ストッパ部
３１  案内孔
３２  案内棒
３３  圧縮コイルばね
３４  突起部
３５  指掛け部
３６  把持部材
３７  スペーサ
３８  固定用ボルト
３９  隙間
４０  滑り止めゴム
４１  台紙
４２  テープ貼着面
【図１】
0003634453.tif 000002
【図２】
0003634453.tif 000003
【図３】
0003634453.tif 000004
【図４】
0003634453.tif 000005
【図５】
0003634453.tif 000006
【図６】
0003634453.tif 000007
【図７】
0003634453.tif 000008